(57)【要約】【課題】車両内と家屋内とで共用でき、車両内で使用する場合、家屋内で使用する場合とで各々の環境に応じた警戒動作を行うセキュリティ装置を提供する。【解決手段】中央演算装置１は、シガーソケット電源ブロック１０が動作している場合は本装置を車両内に設置していると判断し、ＡＣアダプタ電源ブロック１１が動作している場合は本装置を家屋内に設置していると判断する。ＲＯＭ１ａは、本装置を車両内に設置した場合のセキュリティの処理手順と、本装置を家屋内に設置した場合のセキュリティの処理手順との両方を格納しており、本装置が警戒状態である場合に、人センサー２、音圧センサーマイク４の各検知信号より異常状態であるか否かを判断するしきい値を車両内と家屋内とでは変更して、車両内と家屋内との各々の状況に応じた警戒動作を行う。【選択図】　　　　図１
2004133707.tif 000002
【特許請求の範囲】
【請求項１】
車両内または家屋内に設置されて、車両内または家屋内への人の侵入を検知するセンサー手段と、センサー手段の検知結果より異常状態であると判断した場合、威嚇警報を行う報知手段と、車両のアクセサリー電源を本装置の電源に変換する車両用の電源供給手段と、商用電源を本装置の電源に変換する家屋用の電源供給手段と、車両用の電源供給手段と家屋用の電源供給手段とのうち何れが動作しているかを判別する電源判別手段と、該判別結果に応じて報知手段の異常状態判断動作を制御する制御手段とを備えることを特徴とするセキュリティ装置。
【請求項２】
異常状態時に威嚇警報を行う警戒動作をセット・リセットする警戒動作切換手段と、電源判別手段が、車両用の電源供給手段が動作していると判別した場合は、警戒動作のセット状態、及びセット状態への移行を禁止する手段とを備えることを特徴とする請求項１記載のセキュリティ装置。
【発明の詳細な説明】
【０００１】
【発明の属する技術分野】
本発明は、車両と家屋とで共用できるセキュリティ装置に関するものである。
【０００２】
【従来の技術】
車両に搭載される従来の車載セキュリティ装置は、車両内での使用のみを考慮しており（例えばアクセサリー電源からの電源供給）、家屋等の環境下での使用は考慮されていなかった（例えば、特許文献１参照。）。
【０００３】
【特許文献１】
特開平９−２１２７７６号公報（図１）
【０００４】
【発明が解決しようとする課題】
上記のように、従来の車載セキュリティ装置は、家屋等の環境下での使用が不可能であった。また、車両内と家屋内との両方で使用できるようにするためには、車両内で使用する場合と家屋内で使用する場合とで、セキュリティ機能の仕様を変更する必要がある。
【０００５】
本発明は、上記事由に鑑みてなされたものであり、その目的は、車両内と家屋内とで共用でき、車両内で使用する場合、家屋内で使用する場合とで各々の環境に応じた警戒動作を行うセキュリティ装置を提供することにある。
【０００６】
【課題を解決するための手段】
請求項１の発明は、車両内または家屋内に設置されて、車両内または家屋内への人の侵入を検知するセンサー手段と、センサー手段の検知結果より異常状態であると判断した場合、威嚇警報を行う報知手段と、車両のアクセサリー電源を本装置の電源に変換する車両用の電源供給手段と、商用電源を本装置の電源に変換する家屋用の電源供給手段と、車両用の電源供給手段と家屋用の電源供給手段とのうち何れが動作しているかを判別する電源判別手段と、該判別結果に応じて報知手段の異常状態判断動作を制御する制御手段とを備えることを特徴とする。
【０００７】
請求項２の発明は、請求項１において、異常状態時に威嚇警報を行う警戒動作をセット・リセットする警戒動作切換手段と、電源判別手段が、車両用の電源供給手段が動作していると判別した場合は、警戒動作のセット状態、及びセット状態への移行を禁止する手段とを備えることを特徴とする。
【０００８】
【発明の実施の形態】
以下、本発明の実施の形態を図面に基づいて説明する。
【０００９】
本実施形態のセキュリティ装置は、車両内または家屋内に設置されて車両内または家屋内への賊の侵入を検知して異常状態であると判断した場合に、威嚇警報を行うもので、図１に示すように、中央演算装置１と、人センサー２と、人センサーブロック３と、音圧センサーマイク４と、音圧センサーブロック５と、リモコン受信ブロック６と、ＬＥＤブロック７と、増幅ブロック８と、ブザー９と、シガーソケット電源ブロック１０と、ＡＣアダプタ電源ブロック１１と、二次電池１２とを備える。
【００１０】
中央演算装置１は本装置の動作を制御するもので、車両及び家屋でのセキュリティの各処理手順が格納されたＲＯＭ１ａと、記憶手段であるＲＡＭ１ｂとを有している。
【００１１】
人センサー２は車両内または家屋内の人の有無を検出し、検知信号は人センサーブロック３で中央演算装置１に適した信号に変換された後、中央演算装置１に入力される。
【００１２】
音圧センサーマイク４は空気の振動を検出することで、車両内に設置されたときは賊による車両のドアの開閉や車両のガラス破壊、家屋内に設置されたときは家屋のドアの開閉や家屋のガラス破壊を検知するもので、検知信号は音圧センサーブロック５で中央演算装置１に適した信号に変換された後、中央演算装置１に入力される。
【００１３】
そして、本装置の警戒動作のセット・リセットは、ユーザが車両外または家屋内外でリモコンスイッチを操作することで、リモコン信号を受信したリモコン受信ブロック６からセット信号又はリセット信号が中央演算装置１に入力される。
中央演算装置１は、セット信号、リセット信号に応じて本装置の警戒動作のセット・リセットを設定し、ＲＯＭ１ａに格納された処理手順に従って、本装置が警戒状態である場合は、人センサー２、音圧センサーマイク４の各検知信号より異常状態であるか否かを判断し、異常状態であると判断すれば、その異常内容をＲＡＭ１ｂに格納して、威嚇警報を行う。この威嚇警報は、ＬＥＤブロック７のＬＥＤを発光させた光による威嚇、警報、及び増幅ブロック８によってブザー９を鳴動させた音による威嚇、警報が行われる。
【００１４】
また本装置が警戒状態でない場合、中央演算装置１は、上記検知動作、威嚇警報動作を行わない。
【００１５】
本装置の電源は、車両内に設置されているシガーソケット（アクセサリ電源）２０、または家屋内に設置されたコンセント等の商用電源に接続されているＡＣアダプタ３０を用いることができ、車両内でシガーソケット２０を用いる場合は、シガーソケット２０とシガーソケット電源ブロック１０との間を接続すれば、シガーソケット電源ブロック１０でシガーソケット２０からの電源入力を本装置に適した電源に変換して電源供給される。家屋内でＡＣアダプタ３０を用いる場合は、ＡＣアダプタ３０とＡＣアダプタ電源ブロック１１との間を接続すれば、ＡＣアダプタ電源ブロック１１でＡＣアダプタ３０からの電源入力を本装置に適した電源に変換して電源供給される。なお、シガーソケット電源ブロック１０とＡＣアダプタ電源ブロック１１とを同時に動作させることはできず、シガーソケット２０とＡＣアダプタ３０から同時に電源供給はできない。
【００１６】
二次電池１２は、シガーソケット２０またはＡＣアダプタ３０からの電源入力があるときに充電され、シガーソケット２０及びＡＣアダプタ３０からの電源入力が無いときには本装置に電源を供給するものである。
【００１７】
そして、中央演算装置１では、シガーソケット電源ブロック１０とＡＣアダプタ電源ブロック１１とのうちいずれの電源ブロックが動作しているかを判別して、シガーソケット電源ブロック１０が動作している場合は本装置を車両内に設置していると判断し、ＡＣアダプタ電源ブロック１１が動作している場合は本装置を家屋内に設置していると判断する。
【００１８】
ここで、ＲＯＭ１ａは、本装置を車両内に設置した場合のセキュリティの処理手順と、本装置を家屋内に設置した場合のセキュリティの処理手順との両方を格納しており、中央演算装置１は、本装置を車両内に設置していると判断した場合は車両用の処理手順に従って動作し、本装置を家屋内に設置していると判断した場合は家屋用の処理手順に従って動作する。すなわち本装置が警戒状態である場合に、人センサー２、音圧センサーマイク４の各検知信号より異常状態であるか否かを判断するしきい値を車両内と家屋内とでは変更しており、車両内と家屋内との各々の状況に応じた警戒動作を行うことができる。
【００１９】
また通常、車両の運転中はシガーソケット２０からの電源供給は可能となるが、運転キーを抜いた状態であればシガーソケット２０からの電源供給は停止するので、中央演算装置１は、シガーソケット４から電源が供給されている状態（シガーソケット電源ブロック１０が動作している状態）ではユーザーが車両内にいると判断して、本装置が警戒状態にあるときは警戒動作をリセットし、警戒状態に無いときは警戒動作のセットを不可としている。そして、ユーザーがキーを抜いて車両から離れた場合は、シガーソケット２０からの電源供給は停止するので、警戒動作のセットを行うことができる。すなわち、本装置を車両内に設置した場合の警戒動作は、二次電池１２からの電源供給時のみ行うことができるのである。
【００２０】
一方、本装置が家屋内に設置されてＡＣアダプタ３０から電源が供給されている状態（ＡＣアダプタ電源ブロック１１が動作している状態）においては、ユーザが家屋内に存在しない場合があるため、本装置が警戒状態にあるときは警戒動作を継続し、警戒状態に無いときには警戒動作のセットを行うことができるようにしている。
【００２１】
【発明の効果】
請求項１の発明は、車両内または家屋内に設置されて、車両内または家屋内への人の侵入を検知するセンサー手段と、センサー手段の検知結果より異常状態であると判断した場合、威嚇警報を行う報知手段と、車両のアクセサリー電源を本装置の電源に変換する車両用の電源供給手段と、商用電源を本装置の電源に変換する家屋用の電源供給手段と、車両用の電源供給手段と家屋用の電源供給手段とのうち何れが動作しているかを判別する電源判別手段と、該判別結果に応じて報知手段の異常状態判断動作を制御する制御手段とを備えるので、車両内と家屋内とで共用でき、車両内で使用する場合、家屋内で使用する場合とで各々の環境に応じた警戒動作が可能となり、ユーザーの利便性の向上を図ることができるという効果がある。
【００２２】
請求項２の発明は、請求項１において、異常状態時に威嚇警報を行う警戒動作をセット・リセットする警戒動作切換手段と、電源判別手段が、車両用の電源供給手段が動作していると判別した場合は、警戒動作のセット状態、及びセット状態への移行を禁止する手段とを備えるので、不必要な警戒動作を無くすことができるという効果がある。
【図面の簡単な説明】
【図１】本発明のセキュリティ装置の実施形態を示す構成図である。
【符号の説明】
１　中央演算装置
１ａ　ＲＯＭ
１ｂ　ＲＡＭ
２　人センサー
４　音圧センサーマイク
７　ＬＥＤブロック
９　ブザー
１０　シガーソケット電源ブロック
１１　ＡＣアダプタ電源ブロック
【図１】
2004133707.tif 000003